【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
光伝送路を介して複数の光伝送装置を接続した伝送システムの前記光伝送装置に設けられ、前記光伝送路に設定されるパスの経路切替を光信号領域で行う光スイッチ装置であって、
６ｍ個（ｍは自然数）の入力ポートと、
６ｍ個の出力ポートと、
任意の入力ポートから入力される光信号を２乃至４分岐して、互いに異なる前記出力ポートから出力せしめる光分岐手段とを具備することを特徴とする光スイッチ装置。
【請求項２】
光伝送路を介して複数の光伝送装置を接続した伝送システムの前記光伝送装置に設けられ、前記光伝送路に設定されるパスの経路切替を光信号領域で行う光スイッチ装置であって、
光信号が入力される６ｍ個（ｍは自然数）の入力ポートと、
光信号を出力する６ｍ個の出力ポートと、
前記入力ポートから入力された光信号をそれぞれ２分岐する６ｍ個の光分岐器と、
これらの光分岐器から送出される分岐信号がそれぞれ入力される１２ｍ個（ｍは自然数）の入力端子と、前記出力ポートにそれぞれ接続される６ｍ個の出力端子とを備えた光マトリクススイッチとを具備することを特徴とする光スイッチ装置。
【請求項３】
光伝送路を介して複数の光伝送装置を接続した伝送システムの前記光伝送装置に設けられ、前記光伝送路に設定されるパスの経路切替を光信号領域で行う光スイッチ装置であって、
光信号が入力される６ｍ個（ｍは自然数）の入力ポートと、
光信号を出力する６ｍ個の出力ポートと、
８ｍ個の入力端子と、６ｍ個の出力端子とを備えた光マトリクススイッチと、
この光マトリクススイッチの出力端子のうち２ｍ個にそれぞれ接続され、当該光マトリクススイッチを介して与えられる光信号をそれぞれ２分岐する２ｍ個の光分岐器とを備え、
これらの光分岐器の一方の分岐端をそれぞれ前記光マトリクススイッチの２ｍ個の入力端子に接続し、当該光分岐器の他方の分岐端をそれぞれ２ｍ個の前記出力ポートに接続し、
前記入力ポートを前記光マトリクススイッチの残りの６ｍ個の入力端子にそれぞれ接続し、
前記光マトリクススイッチの残りの４ｍ個の出力端子を前記出力ポートの残りの４ｍ個に接続したことを特徴とする光スイッチ装置。
【請求項４】
光伝送路を介して複数の光伝送装置を接続した伝送システムの前記光伝送装置に設けられ、前記光伝送路に設定されるパスの経路切替を光信号領域で行う光スイッチ装置であって、
光信号が入力される６ｍ個の入力ポートと、
光信号を出力する６ｍ個の出力ポートと、
前記入力ポートのうち２ｍ個から入力された光信号をそれぞれ２分岐する２ｍ個の第１の光分岐器と、
８ｍ個の入力端子と、４ｍ個の出力端子と、２ｍ個の拡張入力端子と、これらの拡張入力端子にそれぞれ対応する２ｍ個の拡張出力端子とを備えた拡張ポート付き光マトリクススイッチと、
この拡張ポート付き光マトリクススイッチの前記出力端子のうち２ｍ個にそれぞれ接続され、当該拡張ポート付き光マトリクススイッチを介して与えられる光信号をそれぞれ２分岐する２ｍ個の第２の光分岐器とを備え、
前記入力ポートと前記第１の光分岐器の二つの分岐端とを、前記拡張ポート付き光マトリクススイッチの８ｍ個の入力端子にそれぞれ接続し、
前記第２の光分岐器の一方の分岐端を、前記拡張ポート付き光マトリクススイッチの２ｍ個の拡張入力端子にそれぞれ接続し、
前記第２の光分岐器の他方の分岐端と、前記拡張ポート付き光マトリクススイッチの２ｍ個の拡張出力端子と、当該前記拡張ポート付き光マトリクススイッチの残りの２ｍ個の出力端子とを、前記出力ポートにそれぞれ接続したことを特徴とする光スイッチ装置。
【請求項５】
光伝送路を介して複数の光伝送装置を接続した伝送システムの前記光伝送装置に設けられ、前記光伝送路に設定されるパスの経路切替を光信号領域で行う光スイッチ装置であって、
光信号が入力される６ｍ個（ｍは自然数）の入力ポートと、
光信号を出力する６ｍ個の出力ポートと、
３つの出力端子を有し、前記入力ポートからの光信号を３分岐してそれぞれ前記３つの出力端子から出力する６ｍ個の光分岐器と、
３ｍ個の入力端子と、前記出力ポートに１対１に接続され自己の入力端子からの光信号を選択的に切り替え出力するｍ個の出力端子とをそれぞれ有する第１乃至第６の光スイッチとを具備し、
前記光分岐器を、それぞれｍ個の光分岐器からなる第１乃至第６の組に組み分けしたとき、
第１の組に属する光分岐器の出力端子を、それぞれ第３、第４、第５の光スイッチの入力端子に１対１に接続し、
第２の組に属する光分岐器の出力端子を、それぞれ第３、第５、第６の光スイッチの入力端子に１対１に接続し、
第３の組に属する光分岐器の出力端子を、それぞれ第１、第２、第６の光スイッチの入力端子に１対１に接続し、
第４の組に属する光分岐器の出力端子を、それぞれ第１、第５、第６の光スイッチの入力端子に１対１に接続し、
第５の組に属する光分岐器の出力端子を、それぞれ第１、第２、第４の光スイッチの入力端子に１対１に接続し、
第６の組に属する光分岐器の出力端子を、それぞれ第２、第３、第４の光スイッチの入力端子に１対１に接続したことを特徴とする光スイッチ装置。
【請求項６】
光伝送路を介して複数の光伝送装置を接続した伝送システムの前記光伝送装置に設けられ、前記光伝送路に設定されるパスの経路切替を光信号領域で行う光スイッチ装置であって、
光信号が入力される第１乃至第６の入力ポート（９０３ａ〜９０３ｆ）と、
光信号を出力する第１乃至第６の出力ポート（９０４ａ〜９０４ｆ）と、
２つの出力端子を有し、第１の入力ポート（９０３ａ）および第２の入力ポート（９０３ｂ）からの光信号を自己の２つの出力端子から切り替え出力する第１の光スイッチ（９０１ａ）と、
２つの出力端子を有し、前記第１の光スイッチ（９０１ａ）の一方の出力端子からの光信号を自己の２つの出力端子のいずれかから選択的に出力する第２の光スイッチ（９０１ｂ）と、
２つの出力端子を有し、第３の入力ポート（９０３ｃ）および第４の入力ポート（９０３ｄ）からの光信号を自己の２つの出力端子から切り替え出力する第３の光スイッチ（９０１ｅ）と、
２つの出力端子を有し、前記第３の光スイッチ（９０１ｅ）の一方の出力端子からの光信号を自己の２つの出力端子のいずれかから選択的に出力する第４の光スイッチ（９０１ｆ）と、
前記第１の光スイッチ（９０１ａ）の他方の出力端子からの光信号、または前記第４の光スイッチ（９０１ｆ）の一方の出力端子からの光信号のいずれかを選択的に第６の出力ポート（９０４ｆ）に出力する第５の光スイッチ（９０１ｃ）と、
前記第３の光スイッチ（９０１ｅ）の他方の出力端子からの光信号、または前記第２の光スイッチ（９０１ｂ）の一方の出力端子からの光信号のいずれかを選択的に第５の出力ポート（９０４ｅ）に出力する第６の光スイッチ（９０１ｄ）と、
２つの出力端子を有し、第６の入力ポート（９０３ｆ）からの光信号を分岐して自己の２つの出力端子から出力する第１の光分岐器（９０２ｂ）と、
２つの出力端子を有し、第５の入力ポート（９０３ｅ）からの光信号を分岐して自己の２つの出力端子から出力する第２の光分岐器（９０２ｃ）と、
前記第２の光スイッチ（９０１ｂ）の他方の出力端子からの光信号、または前記第１の光分岐器（９０２ｂ）の一方の出力端子からの光信号のいずれかを選択的に出力する第７の光スイッチ（９０１ｇ）と、
前記第４の光スイッチ（９０１ｆ）の他方の出力端子からの光信号、または前記第２の光分岐器（９０２ｃ）の一方の出力端子からの光信号のいずれかを選択的に出力する第８の光スイッチ（９０１ｊ）と、
２つの出力端子を有し、前記第７の光スイッチ（９０１ｇ）から出力される光信号を分岐し、そのうち一方の光信号を自己の一方の出力端子から第３の出力ポート（９０４ｃ）に出力し、分岐した他方の光信号を自己の他方の出力端子から出力する第３の光分岐器（９０２ａ）と、
この第３の光分岐器（９０２ａ）の他方の出力端子からの光信号、または前記第２の光分岐器（９０２ｃ）の他方の出力端子からの光信号のいずれかを選択的に第４の出力ポート（９０４ｄ）に出力する第９の光スイッチ（９０１ｈ）と、
２つの出力端子を有し、前記第８の光スイッチ（９０１ｊ）から出力される光信号を分岐し、そのうち一方の光信号を自己の一方の出力端子から第１の出力ポート（９０４ａ）に出力し、分岐した他方の光信号を自己の他方の出力端子から出力する第４の光分岐器（９０２ｄ）と、
この第４の光分岐器（９０２ｄ）の他方の出力端子からの光信号、または前記第１の光分岐器（９０２ｂ）の他方の出力端子からの光信号のいずれかを選択的に第２の出力ポート（９０４ｂ）に出力する第１０の光スイッチ（９０１ｉ）とを具備することを特徴とする光スイッチ装置。
【請求項７】
波長多重光を伝送する光伝送路を介して複数の光伝送装置を接続した伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットと、
前記複数のライン冗長ユニットと前記複数のトリビュタリユニットとの相互の波長の割り当てを行う光クロスコネクト部とを具備し、
前記ライン冗長ユニットの各々は、
前記波長多重分離部とのインタフェースを行うラインインタフェース部と、
それぞれ前記ラインインタフェース部および前記光クロスコネクト部に個別に接続され、当該ラインインタフェース部と光クロスコネクト部との間で授受される光信号の交換接続を行う現用系光スイッチ装置および予備系光スイッチ装置とを備え、
前記トリビュタリユニットの各々は、
前記低次群側とのインタフェースを行うトリビュタリインタフェース部と、
このトリビュタリインタフェース部と前記光クロスコネクト部との間で授受される光信号の交換接続を行うトリビュタリスイッチ部とを備えることを特徴とする光伝送装置。
【請求項８】
波長多重光を伝送する光伝送路を介して複数の光伝送装置を接続した伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットとを具備し、
前記ライン冗長ユニットの各々は、
前記波長多重分離部とのインタフェースを行うラインインタフェース部と、
それぞれ前記ラインインタフェース部および対応するチャネルのトリビュタリユニットに個別に接続され、当該ラインインタフェース部とトリビュタリユニットとの間で授受される光信号の交換接続を行う現用系光スイッチ装置および予備系光スイッチ装置とを備え、
前記トリビュタリユニットの各々は、
前記低次群側とのインタフェースを行うトリビュタリインタフェース部と、
このトリビュタリインタフェース部と、接続先の前記現用系光スイッチ装置および予備系光スイッチ装置との間で授受される光信号の交換接続を行うトリビュタリスイッチ部とを備えることを特徴とする光伝送装置。
【請求項９】
波長多重光を伝送する光伝送路を介して複数の光伝送装置を接続した伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットと、
前記複数のライン冗長ユニットと前記複数のトリビュタリユニットとの相互の波長の割り当てを行う光クロスコネクト部とを具備し、
前記ライン冗長ユニットの各々は、
前記波長多重分離部とのインタフェースを行うラインインタフェース部と、
前記ラインインタフェース部および前記光クロスコネクト部に接続され、当該ラインインタフェース部と光クロスコネクト部との間で授受される光信号の交換接続を行う光スイッチ装置とを備えることを特徴とする光伝送装置。
【請求項１０】
波長多重光を伝送する光伝送路を介して複数の光伝送装置を接続した伝送システムに設けられ、高次群側と低次群側との間の交換接続を波長単位で行う前記光伝送装置であって、
個々の波長に対応して設けられる複数のライン冗長ユニットと、
前記複数のライン冗長ユニットからそれぞれ与えられる光信号を波長多重して前記光伝送路に送出するとともに、当該光伝送路を介して到来した波長多重光を波長分離してそれぞれ対応する波長の前記ライン冗長ユニットに入力する波長多重分離部と、
前記低次群側のチャネルごとに設けられる複数のトリビュタリユニットとを具備し、
前記ライン冗長ユニットの各々は、
前記波長多重分離部とのインタフェースを行うラインインタフェース部と、
前記ラインインタフェース部および対応するチャネルのトリビュタリユニットに接続され、当該ラインインタフェース部とトリビュタリユニットとの間で授受される光信号の交換接続を行う光スイッチ装置とを備えることを特徴とする光伝送装置。